(57)【要約】【課題】ヒートポンプを利用した浴室などの換気空調装置においては、暖房、乾燥、換気、涼風といった多くの運転モードが存在するが、ヒートポンプを熱源とする場合、それぞれの運転モードによって浴室内の空気の流通経路及び換気空気の流通経路を可変にする方法は無く、暖房以外の風路を構成しにくいという課題がある。また、ヒートポンプを浴室内と屋外に分離して設置する方式では暖房を行う風路構成を具現化した場合、その他の風路への切替は難しく、特に、ヒートポンプ技術の一つの特徴である再熱除湿運転を行う風路構成に切り替えることが難しかった。【解決手段】換気空調装置の本体６内を第一熱交換器を収納する第一区画２０と第二熱交換器を収納する第二区画２１と圧縮機２２を収納する第三区画に分割し、それぞれを連通する風路に風路切替手段を設けることで種々の運転モードに対応する風路構成に切り替え可能な換気空調装置を提供する。【選択図】図２
2008232483.tif 000002
【特許請求の範囲】
【請求項１】
第一室内空間に開口した吸込口から空気を吸込んで前記第一室内空間に開口した吹出口から空気を吹出す循環ファンと、前記第一室内空間以外の第二室内空間に開口した排気口から空気を吸い込んで屋外に排出することで換気を行う換気ファンと、冷媒を圧縮する圧縮機と前記循環ファンにより送風される空気と冷媒を熱交換させる第一熱交換器と冷媒を膨張させる膨張機構と前記換気ファンにより送風される空気と冷媒を熱交換させる第二熱交換器の順に冷媒が循環する冷媒回路を設けた換気空調装置において、前記圧縮機と前記第一熱交換器と前記膨張機構と前記第二熱交換器と前記冷媒回路により構成される冷凍サイクルが本体外装内に一体に設けられるとともに、前記本体外装内が第一熱交換器を収納する第一区画と第二熱交換器を収納する第二区画に区分され、前記第一区画と前記第二区画が上下方向に配置されたことを特徴とする換気空調装置。
【請求項２】
換気空調装置本体内の風路に少なくとも二箇所以上の風路切替手段を設け、前記風路切替手段の設定状態を切り替えることで少なくとも２種類以上の運転状態に切替を行うことを特徴とする請求項１記載の換気空調装置。
【請求項３】
切替を行う運転状態が室内の暖房を行う暖房運転と、室内の換気を行いながら暖房を行う乾燥運転と、室内の空気の除湿を行う除湿運転と、室内の換気を行う換気運転のいずれかであることを特徴とする請求項２に記載の換気空調装置。
【請求項４】
吸込口から第一熱交換器に連通する第一風路と、吸込口から第二熱交換器に連通する第二風路を設けるとともに、第一熱交換器を収納する第一区画と第二熱交換器を収納する第二区画を連通する第三風路を設け、第三風路内に第一区画と第二区画を仕切るための第一風路切替手段を設けたことを特徴とする請求項１乃至３のいずれかに記載の換気空調装置。
【請求項５】
第一風路内に吸込口から第一熱交換器への空気の連通を開閉するための第二風路切替手段を設けたことを特徴とする請求項１乃至４のいずれかに記載の換気空調装置。
【請求項６】
第二風路内に吸込口から第二熱交換器への空気の連通を開閉するための第三風路切替手段を設けたことを特徴とする請求項１乃至５のいずれかに記載の換気空調装置。
【請求項７】
第一風路切替手段と第三風路切替手段が一体に構成されていることを特徴とする請求項１乃至６のいずれかに記載の換気空調装置。
【請求項８】
第二風路切替手段と第三風路切替手段が一体に構成されていることを特徴とする請求項１乃至６のいずれかに記載の換気空調装置。
【請求項９】
排気口と第二熱交換器を連通する第四風路内に排気口と第二熱交換器間の空気の連通を開閉するための第四風路切替手段を設けたことを特徴とする請求項１乃至８のいずれかに記載の換気空調装置。
【請求項１０】
換気ファンと第二熱交換器を連通する第五風路内に換気ファンと第二熱交換器との空気の連通を開閉するための第五風路切替手段を設けたことを特徴とする請求項１乃至９のいずれかに記載の換気空調装置。
【請求項１１】
第一風路切替手段を閉止すると共に第二、第三、第四及び第五風路切替手段を開放することで排気口から吸引された第二室内空間内の空気を第二熱交換器に流通させ吸熱を行うと共に、吸込口から吸引された第一室内空間内の空気を第一熱交換器に流通させ放熱を行うことで第一室内空間内の暖房を行うことを特徴とする請求項１乃至１０のいずれかに記載の換気空調装置。
【請求項１２】
第三、第四、第五風路切替手段を閉止すると共に第一、第二風路切替手段を開放することで吸込口から吸引された第一室内空間内の空気を第二熱交換器を通過した後、第一熱交換器を通過させることによって温度を下げずに第一室内空間内の除湿を行う再熱除湿運転を行うことを特徴とする請求項１乃至１１のいずれかに記載の換気空調装置。
【請求項１３】
吸込口と換気ファンを連通する第六風路内に吸込口と換気ファンの空気の連通を開閉するための第六風路切替手段を設けたことを特徴とする請求項１乃至１２のいずれかに記載の換気空調装置。
【請求項１４】
第六風路切替手段が第一風路切替手段と一体に構成されていることを特徴とする請求項１３に記載の換気空調装置。
【請求項１５】
第六風路切替手段が第三風路切替手段と一体に構成されていることを特徴とする請求項１３または１４に記載の換気空調装置。
【請求項１６】
第六風路切替手段を開放することで吸込口から吸引された第一室内空間内の空気を換気ファンにより屋外へ排気する換気運転を行うことを特徴とする請求項１３乃至１５のいずれかに記載の換気空調装置。
【発明の詳細な説明】
【技術分野】
【０００１】
本発明はヒートポンプを利用して浴室などの換気空調を行う換気空調装置に関する。
【背景技術】
【０００２】
従来のヒートポンプを利用した浴室などの換気空調装置としては、浴室以外から取り入れられた空気に対してヒートポンプの一方の熱交換器が放熱（または吸熱）を行い、その空気を浴室内に吹出すとともに、ヒートポンプの他方の熱交換器が浴室から屋外に排出される空気に対して吸熱（または放熱）することで浴室を空調するものがある（例えば特許文献１参照）。
【０００３】
また、ヒートポンプを室外機と室内機に分離し、室外機に設けた熱交換器において外気から吸熱（または放熱）を行い、室内機に設けた熱交換器において浴室の空気に放熱（または吸熱）することで浴室を空調するものがある（例えば特許文献２参照）。
【特許文献１】特開２００５−１８０７１２号公報
【特許文献２】特開２００２−３４９９３０号公報
【発明の開示】
【発明が解決しようとする課題】
【０００４】
以上のようにヒートポンプを利用した浴室などの換気空調装置は、様々な形態のものが提案されている。特許文献１に例示される浴室空調装置は、浴室から屋外に排出される空気から熱を回収して浴室を空調するものだが、換気空調装置においては暖房、乾燥、換気、涼風といった多くの運転モードが存在するが、ヒートポンプを熱源とする場合、それぞれの運転モードによって浴室内の空気の流通経路及び換気空気の流通経路が変化するため、風路を可変にする必要があるのに対して、従来の技術ではそれぞれの風路が独立した構成となっており、風路を切り替えるための構造を設けるためには本体内にそれぞれの風路を連通するための構造を新たに設ける必要があるなどの理由から風路を可変にする手段はとられておらず、このため、暖房以外の風路を構成することができないという課題がある。
【０００５】
また、特許文献２に例示される浴室空調装置は、ヒートポンプを浴室内と屋外に分離して設置しているため暖房を行う風路構成を具現化した場合、暖房もしくは冷房などの１種類の運転状態は実現できるものの、吸熱用熱交換器と放熱用熱交換器が屋内と屋外に分離独立して設置されている関係上、暖房と冷房を組み合わせるなどの運転状態を再現するための風路を構成することは難しく、特に、ヒートポンプ技術の一つの特徴である再熱除湿運転を行う風路構成に切り替えることができなかった。
【０００６】
本発明は上記従来の課題を解決するもであり、本体内に設けた風路切替手段により暖房のみならず、換気や除湿運転など種々の運転モードを切替ながら運転することが可能な浴室換気空調機を提供することを目的としている。
【課題を解決するための手段】
【０００７】
上記目的を達成するために本発明が講じた第一の解決手段は、第一室内空間に開口した吸込口から空気を吸込んで前記第一室内空間に開口した吹出口から空気を吹出す循環ファンと、前記第一室内空間以外の第二室内空間に開口した排気口から空気を吸い込んで屋外に排出することで換気を行う換気ファンと、冷媒を圧縮する圧縮機と前記循環ファンにより送風される空気と冷媒を熱交換させる第一熱交換器と冷媒を膨張させる膨張機構と前記換気ファンにより送風される空気と冷媒を熱交換させる第二熱交換器の順に冷媒が循環する冷媒回路を設けた換気空調装置において、前記圧縮機と前記第一熱交換器と前記膨張機構と前記第二熱交換器と前記冷媒回路により構成される冷凍サイクルが本体外装内に一体に設けられるとともに、前記本体外装内が第一熱交換器を収納する第一区画と第二熱交換器を収納する第二区画に区分され、前記第一区画と前記第二区画が上下方向に配置したものである。
【０００８】
この手段により、第一熱交換器と第二熱交換器を鉛直方向多段に構成することが可能となり、従来使用されていなかった熱交換器の上部空間に他の熱交換器を収納することができるようになるため、本体全体を見た場合に、構成部品の中でもっとも大きな容積を占める熱交換器を小さいスペースに設置することが可能となることに加え、両方の熱交換器で風路を共有することが可能となる。これにより本体内での構成部品の容積率が向上し、本体外郭の寸法、特に本体容積を小さくすることが可能となる。
【０００９】
また本発明が講じた第二の解決手段は、換気空調装置本体内の風路に少なくとも二箇所以上の風路切替手段を設け、風路切替手段の設定状態を切り替えることで少なくとも２種類以上の運転状態に切替を行うことようにしたものである。
【００１０】
この手段により、風路切替手段の設定を切り替えるだけで換気空調装置の運転モードを変更することが可能となり、使用者の利便性を高めると共に、換気空調装置の使用目的にあわせた運転モードへの切替が可能となる。
【００１１】
また本発明が講じた第三の解決手段は、風路切替手段の設定変更により切替を行う運転状態が室内の暖房を行う暖房運転、室内の換気を行いながら暖房を行う乾燥運転、室内の空気の除湿を行う除湿運転、室内の換気を行う換気運転のいずれかとなるように風路切替手段の設定を変更するようにしたものである。
【００１２】
この手段により、室内の暖房、室内での衣類乾燥、室内の換気等の目的に応じた運転状態に切り替えることが可能となる。
【００１３】
また本発明が講じた第四の解決手段は、吸込口から第一熱交換器に連通する第一風路と、吸込口から第二熱交換器に連通する第二風路を設けるとともに、第一熱交換器を収納する第一区画と第二熱交換器を収納する第二区画を連通する第三風路を設け、第三風路内に第一区画と第二区画を仕切るための第一風路切替手段を設けたものである。
【００１４】
この手段により、第二熱交換器を通過した空気を第三風路を介して第一熱交換器に通風することが可能となり、第一風路切替手段の開閉動作に伴い、換気空調装置内部での空気の流通経路を変更することが可能となる。これにより、第一風路切替手段を閉の状態にすることで第一室内空間内の暖房を行う暖房運転に、第一風路切替手段を開の状態にすることで第二熱交換器で除湿した後、第一熱交換器で加熱を行うことで再熱除湿を行う再熱除湿運転の二つの運転モードを切り替えて運転を行うことが可能な換気空調装置を得ることができる。
【００１５】
また本発明が講じた第五の解決手段は、第一風路内に吸込口から第一熱交換器への空気の連通を開閉するための第二風路切替手段を設けたものである。
【００１６】
この手段により、再熱除湿運転時に吸込口から第一熱交換器に流入する第一室内空間内空気を遮断することが可能となる。これにより、再熱除湿運転時に除湿されずに第一室内空間内に循環供給される空気の流通経路をなくすことでより乾燥した空気を第一室内空間内に供給することが可能となる。
【００１７】
また本発明が講じた第六の解決手段は、第二風路内に吸込口から第二熱交換器への空気の連通を開閉するための第三風路切替手段を設けたものである。
【００１８】
この手段により、暖房運転時に吸込口から第二熱交換器に流入する第一室内空間内空気を遮断することが可能となり、暖房運手時と再熱除湿時の風路を切り替えて運転することが可能となる。これにより、暖房運転時に第一室内空間内から屋外へ排出される空気の流通経路をなくし、第一室内空間内からの熱の漏洩をなくすことで第一室内空間内を効率よく暖房することが可能な風路を得ることができる。
【００１９】
また本発明が講じた第七の解決手段は、第一風路切替手段と第三風路切替手段を一体に構成したものである。
【００２０】
この手段により、通常、隣接して配されることの多い第一風路切替手段と第三風路切替手段を統合することで、少ない構成部品で風路構成を切り替えることが可能となる。これにより、少ない構成部品で風路構成を切替可能な換気空調装置を得ることができる。
【００２１】
また本発明が講じた第八の解決手段は、第二風路切替手段と第三風路切替手段を一体に構成したものである。
【００２２】
この手段により、通常、隣接して配されることの多い第二風路切替手段と第三風路切替手段を統合することで、少ない構成部品で風路構成を切り替えることが可能となる。これにより、少ない構成部品で風路構成を切替可能な換気空調装置を得ることができる。
【００２３】
また本発明が講じた第九の解決手段は、排気口と第二熱交換器を連通する第四風路内に排気口と第二熱交換器間の空気の連通を開閉するための第四風路切替手段を設けたものである。
【００２４】
この手段により、再熱除湿時に排気口から吸引される第一室内空間以外の第二室内空間に存在する空気の流入を防止することが可能となり、第二室内空間からの湿度の流入を防止することができる。これにより、第一室内空間内をより乾燥した状態にすることが可能となる。
【００２５】
また本発明が講じた第十の解決手段は、換気ファンと第二熱交換器を連通する第五風路内に換気ファンと第二熱交換器との空気の連通を開閉するための第五風路切替手段を設けたものである。
【００２６】
この手段により、再熱除湿時に換気ファンを介して屋外の空気が第二熱交換器に流入するのを防止することが可能となり、屋外からの湿度の流入を防止することができる。これにより、第一室内空間内をより乾燥した状態にすることが可能となる。
【００２７】
また本発明が講じた第十一の解決手段は、第一風路切替手段を閉止すると共に第二、第三、第四及び第五風路切替手段を開放することで排気口から吸引された第二室内空間内の空気を第二熱交換器に流通させ吸熱を行うと共に、吸込口から吸引された第一室内空間内の空気を第一熱交換器に流通させ放熱を行うことで第一室内空間内の暖房を行うようにしたものである。
【００２８】
この手段により、第二室内空間から吸引された空気の持つ熱を吸熱して浴室内に投入することで浴室内を暖房する風路構成を形成することが可能となる。これにより、従来の換気空調装置では実現不可能であった他の風路構成へと変更可能な冷凍サイクル利用の換気空調装置を実現可能となる。
【００２９】
また本発明が講じた第十二の解決手段は、第三、第四、第五風路切替手段を閉止すると共に第一、第二風路切替手段を開放することで吸込口から吸引された第一室内空間内の空気を第二熱交換器を通過した後、第一熱交換器を通過させることによって温度を下げずに第一室内空間内の除湿を行う再熱除湿運転を行うようにしたものである。
【００３０】
この手段により、第一室内空間内から吸引した空気を除湿後、再加熱して第一室内空間に戻す再熱除湿を行うための風路構成を形成することが可能となる。これにより、従来の換気空調装置では実現不可能であった他の風路構成へと変更可能な冷凍サイクル利用の換気空調装置を実現可能となる。
【００３１】
また本発明が講じた第十三の解決手段は、吸込口と換気ファンを連通する第六風路内に吸込口と換気ファンの空気の連通を開閉するための第六風路切替手段を設けたものである。
【００３２】
この手段により、冷凍サイクルを運転しない換気運転を実施する際に、換気ファンに対する圧力損失となる第二熱交換器を介せずに換気運転を行うための風路を確保できると共に、換気運転以外の運転状態の再には換気ファンに直接第一室内空間内の空気が流入するのを防止することが可能となる。これにより、従来の換気空調装置では実現不可能であった他の風路構成へと変更可能な冷凍サイクル利用の換気空調装置を実現可能となる。
【００３３】
また本発明が講じた第十四の解決手段は、第六風路切替手段を第一風路切替手段と一体に構成したものである。
【００３４】
この手段により、風路切替を行うための構成部品を削減することができる。これにより、より単純な風路構成で風路切替可能な冷凍サイクルを利用した換気空調装置を実現可能となる。
【００３５】
また本発明が講じた第十五の解決手段は、第六風路切替手段を第三風路切替手段と一体に構成したものである。
【００３６】
この手段により、風路切替を行うための構成部品を削減することができる。これにより、より単純な風路構成で風路切替可能な冷凍サイクルを利用した換気空調装置を実現可能となる。
【００３７】
また本発明が講じた第十六の解決手段は、第六風路切替手段を開放することで吸込口から吸引された第一室内空間内の空気を換気ファンにより屋外へ排気する換気運転を行うようにしたものである。
【００３８】
この手段により、冷凍サイクルを運転しない換気運転を実施する際に、換気ファンに対する圧力損失となる第二熱交換器を介せずに換気運転を行うための風路を確保できる。これにより、従来の換気空調装置では実現不可能であった他の風路構成へと変更可能な冷凍サイクル利用の換気空調装置を実現可能となる。
【発明の効果】
【００３９】
本発明によれば、本体内風路を風路切替手段により切り替えることで例えば暖房運転や除湿運転など種々の運転モードに対応する風路構成を実現可能な浴室換気空調機を得ることができる。中でも、従来のセパレート型（室内機と室外機を設けるヒートポンプ利用機器）のヒートポンプ利用換気空調装置では実現が難しかった再熱除湿運転を実現することが可能な換気空調装置を得ることができる。
【発明を実施するための最良の形態】
【００４０】
本発明の請求項１記載の発明は、第一室内空間に開口した吸込口から空気を吸込んで前記第一室内空間に開口した吹出口から空気を吹出す循環ファンと、前記第一室内空間以外の第二室内空間に開口した排気口から空気を吸い込んで屋外に排出することで換気を行う換気ファンと、冷媒を圧縮する圧縮機と前記循環ファンにより送風される空気と冷媒を熱交換させる第一熱交換器と冷媒を膨張させる膨張機構と前記換気ファンにより送風される空気と冷媒を熱交換させる第二熱交換器の順に冷媒が循環する冷媒回路を設けた換気空調装置において、前記圧縮機と前記第一熱交換器と前記膨張機構と前記第二熱交換器と前記冷媒回路により構成される冷凍サイクルが本体外装内に一体に設けられるとともに、前記本体外装内が第一熱交換器を収納する第一区画と第二熱交換器を収納する第二区画に区分され、前記第一区画と前記第二区画が上下方向に配置したものであり、この手段により、第一熱交換器と第二熱交換器を鉛直方向多段に構成することが可能となり、構成部品の中でもっとも大きな容積を占める熱交換器を小さいスペースに設置することが可能となることに加え、両方の熱交換器で風路を共有することが可能となるため、本体内での構成部品の容積率が向上し、本体外郭の寸法、特に本体容積を小さくすることが可能となる。
【００４１】
また、換気空調装置本体内の風路に少なくとも二箇所以上の風路切替手段を設け、風路切替手段の設定状態を切り替えることで少なくとも２種類以上の運転状態に切替を行うことようにしたものであり、この手段により、風路切替手段の設定を切り替えるだけで換気空調装置の運転モードを変更することが可能となり、使用者の利便性を高めると共に、換気空調装置の使用目的にあわせた運転モードへの切替が可能となる。
【００４２】
また、風路切替手段の設定変更により切替を行う運転状態が室内の暖房を行う暖房運転、室内の換気を行いながら暖房を行う乾燥運転、室内の空気の除湿を行う除湿運転、室内の換気を行う換気運転のいずれかとなるように風路切替手段の設定を変更するようにしたものであり、この手段により、室内の暖房、室内での衣類乾燥、室内の換気等の目的に応じた運転状態に切り替えることが可能となる。
【００４３】
また、吸込口から第一熱交換器に連通する第一風路と、吸込口から第二熱交換器に連通する第二風路を設けるとともに、第一熱交換器を収納する第一区画と第二熱交換器を収納する第二区画を連通する第三風路を設け、第三風路内に第一区画と第二区画を仕切るための第一風路切替手段を設けたものであり、この手段により、第二熱交換器を通過した空気を第三風路を介して第一熱交換器に通風することが可能となり、第一風路切替手段の開閉動作に伴い、換気空調装置内部での空気の流通経路を変更することが可能となるため、第一風路切替手段を閉の状態にすることで第一室内空間内の暖房を行う暖房運転に、第一風路切替手段を開の状態にすることで第二熱交換器で除湿した後、第一熱交換器で加熱を行うことで再熱除湿を行う再熱除湿運転の二つの運転モードを切り替えて運転を行うことが可能な換気空調装置を得ることができる。
【００４４】
また、第一風路内に吸込口から第一熱交換器への空気の連通を開閉するための第二風路切替手段を設けたものであり、この手段により、再熱除湿運転時に吸込口から第一熱交換器に流入する第一室内空間内空気を遮断することが可能となるため、再熱除湿運転時に除湿されずに第一室内空間内に循環供給される空気の流通経路をなくすことでより乾燥した空気を第一室内空間内に供給することが可能となる。
【００４５】
また、第二風路内に吸込口から第二熱交換器への空気の連通を開閉するための第三風路切替手段を設けたものであり、この手段により、暖房運転時に吸込口から第二熱交換器に流入する第一室内空間内空気を遮断することが可能となり、暖房運手時と再熱除湿時の風路を切り替えて運転することが可能となるため、暖房運転時に第一室内空間内から屋外へ排出される空気の流通経路をなくし、第一室内空間内からの熱の漏洩をなくすことで第一室内空間内を効率よく暖房することが可能な風路を得ることが可能となる。
【００４６】
また、第一風路切替手段と第三風路切替手段を一体に構成したものであり、この手段により、通常、隣接して配されることの多い第一風路切替手段と第三風路切替手段を統合することで、少ない構成部品で風路構成を切り替えることが可能となるため、少ない構成部品で風路構成を切替可能な換気空調装置を得ることが可能となる。
【００４７】
また、第二風路切替手段と第三風路切替手段を一体に構成したものであり、この手段により、通常、隣接して配されることの多い第二風路切替手段と第三風路切替手段を統合することで、少ない構成部品で風路構成を切り替えることが可能となり、少ない構成部品で風路構成を切替可能な換気空調装置を得ることができる。
【００４８】
また、排気口と第二熱交換器を連通する第四風路内に排気口と第二熱交換器間の空気の連通を開閉するための第四風路切替手段を設けたものであり、この手段により、再熱除湿時に排気口から吸引される第一室内空間以外の第二室内空間に存在する空気の流入を防止することが可能となり、第二室内空間からの湿度の流入を防止することができるため、第一室内空間内をより乾燥した状態にすることが可能となる。
【００４９】
また、換気ファンと第二熱交換器を連通する第五風路内に換気ファンと第二熱交換器との空気の連通を開閉するための第五風路切替手段を設けたものであり、再熱除湿時に換気ファンを介して屋外の空気が第二熱交換器に流入するのを防止することが可能となり、屋外からの湿度の流入を防止することができるため、第一室内空間内をより乾燥した状態にすることが可能となる。
【００５０】
また、第一風路切替手段を閉止すると共に第二、第三、第四及び第五風路切替手段を開放することで排気口から吸引された第二室内空間内の空気を第二熱交換器に流通させ吸熱を行うと共に、吸込口から吸引された第一室内空間内の空気を第一熱交換器に流通させ放熱を行うことで第一室内空間内の暖房を行うようにしたものであり、この手段により、第二室内空間から吸引された空気の持つ熱を吸熱して浴室内に投入することで浴室内を暖房する風路構成を形成することが可能となるため、従来の換気空調装置では実現不可能であった他の風路構成へと変更可能な冷凍サイクル利用の換気空調装置を実現可能となる。
【００５１】
また、第三、第四、第五風路切替手段を閉止すると共に第一、第二風路切替手段を開放することで吸込口から吸引された第一室内空間内の空気を第二熱交換器を通過した後、第一熱交換器を通過させることによって温度を下げずに第一室内空間内の除湿を行う再熱除湿運転を行うようにしたものであり、この手段により、第一室内空間内から吸引した空気を除湿後、再加熱して第一室内空間に戻す再熱除湿を行うための風路構成を形成することが可能となり、従来の換気空調装置では実現不可能であった他の風路構成へと変更可能な冷凍サイクル利用の換気空調装置を実現可能となる。
【００５２】
また、吸込口と換気ファンを連通する第六風路内に吸込口と換気ファンの空気の連通を開閉するための第六風路切替手段を設けたものであり、この手段により、冷凍サイクルを運転しない換気運転を実施する際に、換気ファンに対する圧力損失となる第二熱交換器を介せずに換気運転を行うための風路を確保できると共に、換気運転以外の運転状態の再には換気ファンに直接第一室内空間内の空気が流入するのを防止することが可能となるため、従来の換気空調装置では実現不可能であった他の風路構成へと変更可能な冷凍サイクル利用の換気空調装置を実現可能となる。
【００５３】
また、第六風路切替手段を第一風路切替手段と一体に構成したものであり、この手段により、風路切替を行うための構成部品を削減することが可能となるため、より単純な風路構成で風路切替可能な冷凍サイクルを利用した換気空調装置を実現可能となる。
【００５４】
また、第六風路切替手段を第三風路切替手段と一体に構成したものであり、この手段により、風路切替を行うための構成部品を削減することができるため、より単純な風路構成で風路切替可能な冷凍サイクルを利用した換気空調装置を実現可能となる。
【００５５】
また、第六風路切替手段を開放することで吸込口から吸引された第一室内空間内の空気を換気ファンにより屋外へ排気する換気運転を行うようにしたものであり、この手段により、冷凍サイクルを運転しない換気運転を実施する際に、換気ファンに対する圧力損失となる第二熱交換器を介せずに換気運転を行うための風路を確保できるようになるため、従来の換気空調装置では実現不可能であった他の風路構成へと変更可能な冷凍サイクル利用の換気空調装置を実現可能となる。
【００５６】
以下、本発明の実施の形態について図面を参照しながら説明する。
【００５７】
（実施の形態１）
以下、本発明の第一の実施の形態について図面を参照しながら説明する。
【００５８】
図１は本発明の実施の形態における換気空調装置が設置されている居住空間の見取り図である。図１において、屋内の居住空間１は、室内空間としてのリビング２、浴室３、脱衣室４あるいはトイレ５などに区画されており、浴室３の天井裏には、換気空調装置の本体６が設置されている。この本体６には、本体６と屋外を連通する第一排気ダクト７、脱衣室４の天井に開口した第一排気口８と本体６を連通する第二排気ダクト９及びトイレ５の天井に開口した第二排気口１０と本体６とを連通する第三排気ダクト１１が接続されている。
【００５９】
また、本体６外郭に隣接するように配置された換気ボックス１２内部には換気ファン１３が配設されており、屋外と換気ボックス１２をを連通する第一排気ダクト７は換気ファン１３の吹出し側に接続され、脱衣室４と本体６を連通する第二排気ダクト９及びトイレ５と本体６を連通する第三排気ダクト１１は換気ファン１３の吸込側に接続されている。したがって、換気ファン１３を運転すると、第一排気口８及び第二排気口１０から第二排気ダクト９及び第三排気ダクト１１を通じて脱衣室４及びトイレ５の空気が換気ファン１３に吸い込まれ、第一排気ダクト７を通じて屋外に排気される。
【００６０】
そして、換気ファン１３を連続運転すると、屋内の居住空間１内が負圧になるため、室内空間としてのリビング２の屋外に面した壁に開口した給気口１４から新鮮な外気が供給されて居住空間１が換気されることになる。この換気運転は建物の機密性が高い場合は連続して行う必要があるため（２４時間換気）、換気ファン１３は所定の換気量、例えば一時間で居住空間１の約半分の容積に相当する換気量を確保するように連続運転を行う。
【００６１】
また、リビング２には部屋の温度をコントロールするための空調機１５が設置されており、夏場は冷房運転、冬場は暖房運転を行って室温を適正に保持している。したがって前述したように年間を通じて連続した換気運転を行っていると、リビング２においては夏場は空調機１５による冷房、冬場は空調機１５による暖房を実施することで所定の温度範囲、例えば２０℃から３０℃にコントロールされた空気が脱衣室４のドア１６およびトイレ５のドア１６のガラリやアンダーカット部分を通じて第一排気口８および第二排気口１０に吸い込まれ、換気空調装置の本体６に隣接して設けられた換気ボックス１２を介して屋外に排出されることになる。
【００６２】
図２、図３は、換気空調装置の風路構成図及び冷媒回路図であり、図２に示すように浴室３の天井裏に換気空調装置の本体６が設置されており、本体６の底部に浴室３の天井面に対して吸込口１７および吹出口１８を開口するとともに吸込口１７に着脱自在に塵埃を捕捉するためのフィルター１９を配設している。また、本体６内部は構造壁により大きく３つの区画に仕切られており、吸込口１７と吹出口１８を連通し、本体下部に位置する第一区画２０と、吸込口１７と換気ボックス１２を連通し、本体上部に位置する第二区画２１と、本体側面部に位置し、圧縮機２２を収納する圧縮機区画２３が設けられている。
【００６３】
吸込口１７と第一区画２０は第一風路２４により連通されており、吸込口１７から吸い込まれた浴室内の空気は第一区画２０内に設けられた循環ファン２５により吹出口１８から吹出される。第一風路２４内には吸込口１７と循環ファン２５の連通を開閉するための風路切替手段としての第一ダンパ２６（特許請求の範囲における第二風路切替手段）が設けられており、第一ダンパ２６の開閉を行うことでそれぞれの運転モードに最適な風路に切替を行う。この第一ダンパ２６は第一区画２０と第二区画２１を連通する第三風路２７の開閉を行うダンパ（特許請求の範囲における第一風路切替手段）と一体に構成されており、第一風路２４の閉止を行うと第三風路２７が開放されるように動作する。
【００６４】
また、吸込口１７と第二区画２１は第二風路２８により連通されており、吸込口１７から吸い込まれた浴室３内の空気は第二区画２１に隣接する本体６外に設けられた換気ボックス１２内の換気ファン１３の吸込側に第二排気ダクト９及び第三排気ダクトと共に接続されている。さらに、第二風路２８内には吸込口１７と換気ファン１３の連通を開閉するための風路切替手段としての第二ダンパ２９（特許請求の範囲における第三風路切替手段）が設けられており、換気ファン１３の運転中に浴室３内の換気を行わない場合には第二ダンパ２９を閉止することで脱衣室４やトイレ５から屋外へ排気しながら、浴室３からの排気を停止することが可能となるなどそれぞれの運転モードにあわせて第一ダンパ、第二ダンパの開閉を切り替えることができる。
【００６５】
第二区画２１の最下部には第二熱交換器３０で発生した結露水を回収するためのドレンパン（図示せず）を設けるのが通常であるが、第二区画２１を第一区画２０の上方に設けることでドレンパンの設置位置を本体の最下面よりも高い位置に配置することが可能となるため、ドレンパンから本体６外部に排水する場合に自然勾配を利用して排水することが可能となり、ドレンポンプなどを収容するスペースを別途設ける必要が無くなる。
【００６６】
また、本体６内部に、冷媒として例えば、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等の自然冷媒などの何れかを充填した冷媒回路３１を形設しており、この冷媒回路３１中に、冷媒を圧縮する圧縮機２２、供給空気と冷媒とを熱交換させる第一熱交換器３２、冷媒を膨張させる電子式膨張弁からなる膨張機構３３、供給空気と冷媒とを熱交換させる第二熱交換器３０を介設している。
【００６７】
第一熱交換器３２は、第一区画２０内に配設されており、第二熱交換器３０は、第二区画２１に隣接して設けられた換気ボックス１２内の換気ファン１３の吸込側に配設されている。したがって第一熱交換器３２においては循環ファン２５により循環する浴室３の空気に対して冷媒が放熱を行い、第二熱交換器３０においては換気ファン１３により屋外に排出される空気に対して冷媒が吸熱を行うことになる。第二熱交換器３０は第二区画２１内において吸込口１７と第二排気ダクト９と第三排気ダクト１１の合流部よりも下流側に設置されており、浴室３内と脱衣室４とトイレ５内から屋外へ排気される空気から吸熱を行うことが可能となっている。
【００６８】
第一熱交換器３２は第一区画２０内において鉛直方向より若干傾斜して（例えば３０°程度）設置されており、このように傾斜して配置することで本体６内で第一熱交換器３２が締める容積率を向上させ、特に第一区画２０の高さ方向の寸法を小さく抑えることが可能となり、本体６の寸法も小型化することが可能となる。
【００６９】
図４に示すように、第二熱交換器３０は第二区画２１内において２枚の板状の熱交換器をＶ字状に配置し側方より熱交換器面と並行に吸込口１７、第一排気口及び第二排気口からの流通空気が流入するように設置されている。流入した空気は第二熱交換器３０表面で向きを変え、第二熱交換器３０を通過した後、再び向きを変えて換気ファンに流入する。第二熱交換器３０及びその流入経路をこのように配置することにより、第二区画２１内での第二熱交換器３０の容積率を向上させ、より狭い空間内に容積の大きい熱交換器を配置することが可能となると共に、流入空気の風路を単純化することでより本体６内空間の利用率を向上させることができる。
【００７０】
圧縮機区画２３は第一区画、第二区画と隣接する本体６の側面部に設けられ、鉛直方向に本体６の下端から上端までを貫通するように設けられている。このような配置を取ることによって、圧縮機２２を最小限の空間容積内に収納することができ、本体６の外形寸法を最小化することができ、これにより、本体６を浴室の天井裏等の狭い空間に設置することが可能となる。
【００７１】
次に換気空調装置の運転動作について説明する。図５は各運転パターンにおける各構成要素の動作状態を示す一覧表である。以下、それぞれの運転モードについて詳細に説明する。
【００７２】
まず、暖房運転モードでは図２に示すように第一ダンパ２６を第一風路２４側が開放され第三風路側が閉止されるように設定されると共に、第二ダンパ２９は閉止されることで脱衣室４やトイレ５の換気を行いながら浴室３内の暖房を行う運転モードである。この場合、第一排気口８及び第二排気口１０から吸い込まれた脱衣室４及びトイレ５内の空気は第二排気ダクト９及び第三排気ダクト１１により換気ボックス１２内の第四風路３４及び第五風路３５（いずれも特許請求の範囲における第四風路に相当）に流入する。この際、脱衣室４もしくはトイレ５のいずれか一方のみから換気しながら浴室３内の暖房を行う際には第四風路３４及び第五風路３５に設けられた第三ダンパ３６（特許請求の範囲における第四風路切替手段）、第四ダンパ（特許請求の範囲における第四風路切替手段）のいずれかを閉止することで脱衣室４もしくはトイレ５のいずれか一方のみから換気しながら浴室内の暖房を行うことが可能となる。
【００７３】
第四風路３４、第五風路３５に流入した脱衣室４もしくはトイレ内から吸引された空気は隣接する本体６内の第二区画２１に設けられた第二熱交換器３０に流入する。第二熱交換器３０を通過する際に、第二熱交換器３０内を流通している冷媒に熱を与え（吸熱）、温度を下げられた状態で再び隣接する換気ボックス１２内の換気ファン１３により第一排気ダクト７を介して屋外に排気される。これに対し、吸込口１７から吸い込まれた浴室３内の空気は第一区画２０内の第一熱交換器３２に流入する。第一熱交換器３２を通過する際に、第一熱交換器３２内部を流通する冷媒から熱を与えられ（放熱）、温度を上げられた状態で循環ファン２５により吹出口１８から浴室３内に循環供給される。このように、多室暖房運転モードでは屋外に排気される脱衣室４やトイレ５内の空気から熱を回収し、浴室３内に回収した熱を投入することで浴室３内の暖房を行う運転モードである。
【００７４】
次に浴室換気暖房運転モードでは、図６に示すように第一ダンパ２６を第一風路２４側が開放され第三風路側が閉止されるように設定されると共に、第二ダンパ２９を開放することで浴室３内の換気を行いながら浴室内の暖房を行う運転モードである。この場合、吸込口１７から吸い込まれた浴室３内空気の一部は第二風路により第二区画２１内の第二熱交換器３０に流入する。この際、第一排気口８及び第二排気口１０から吸い込まれた脱衣室４及びトイレ５内の空気も第四風路３４、第五風路３５を介して同時に第二熱交換器３０に流入する。この際、脱衣室４もしくはトイレ５のいずれか一方のみから換気しながら浴室３内の暖房を行う際には第四風路３４及び第五風路３５に設けられた第三ダンパ３６（特許請求の範囲における第四風路切替手段）、第四ダンパ（特許請求の範囲における第四風路切替手段）のいずれかを閉止することで脱衣室４もしくはトイレ５のいずれか一方のみから換気しながら浴室３内の暖房を行うことが可能となる。
【００７５】
第二熱交換器３０を通過する際に、第二熱交換器３０内を流通している冷媒に熱を与え（吸熱）、温度を下げられた状態で隣接する換気ボックス１２内の換気ファン１３により第一排気ダクト７を介して屋外に排気される。この際、屋外に排出される空気の温度は浴室以外の居住空間１の温度よりも低い温度まで下げられた後排気される。これに対し、吸込口１７から吸い込まれた残りの浴室３内空気は第一区画２０内の第一熱交換器３２に流入する。第一熱交換器３２を通過する際に、第一熱交換器３２内部を流通する冷媒から熱を与えられ（放熱）、温度を上げられた状態で循環ファン２５により吹出口１８から浴室３内に循環供給される。このように浴室換気暖房運転モードでは屋外に排気される浴室３や脱衣室４及びトイレ５内の空気から熱を回収し、浴室３内に回収した熱を投入することで浴室３内の暖房を行う運転モードである。このような浴室換気暖房モードは浴室３内の乾燥もしくは浴室３内に設置された洗濯物の乾燥などの際に選択される運転モードで、暖房と換気を併用することでより迅速に浴室３内の乾燥、もしくは洗濯物の乾燥を行うことができる。
【００７６】
次に除湿運転モードでは図７に示すように第一ダンパ２６を第一風路２４側が閉止され第三風路側が開放されるように設定されると共に、第二ダンパ２９を開放することで浴室３内の除湿を行う運転モードである。この場合、吸込口１７から吸い込まれた浴室３内の空気は第二風路２８により第二区画２１内の第二熱交換器３０に流入する。第二熱交換器３０を通過する際に、第二熱交換器３０内を流通している冷媒に熱を与え（吸熱）、温度を露点温度以下に下げられることによって空気内の水分が結露し、絶対湿度を下げられた状態で第二熱交換器３０から流出する。
【００７７】
第二熱交換器３０を流出した空気は第三風路２７を介して第一区画２０内の第一熱交換器３２に流入する。第一熱交換器３２を通過する際に、第一熱交換器３２内部を流通する冷媒から熱を与えられ（放熱）、温度を上げられることで空気の相対湿度が低下する。相対湿度を下げられた空気は循環ファン２５により吹出口１８から浴室内に循環供給される。このように、除湿運転モードでは本体６内に設けた冷媒回路３１を利用し、浴室３内の空気を除湿、昇温することで乾燥空気をつくり浴室３内の乾燥もしくは浴室３内に設置された洗濯物の乾燥などの際に選択される運転モードで、乾燥した空気を浴室３内に供給することでより迅速に浴室３内の乾燥、もしくは洗濯物の乾燥を行うことができる。
【００７８】
次に多室換気運転モードでは図８に示すように第一ダンパ２６を第一風路２４側、第三風路２７側の両者が開放されるように設定されると共に、第二ダンパ２９を開放することで浴室３内、脱衣室４、トイレ５の換気を同時に行う運転モードである。この場合、第一排気口８及び第二排気口１０から吸い込まれた脱衣室４及びトイレ５内の空気は第四風路３４、第五風路３５を介して第二区画２１内の第二熱交換器３０に流入する。多室換気運転モードにおいては前述の２つの運転モードとは異なり、圧縮機２２及び循環ファン２５の運転を行わずに換気ファン１３の運転を行うため、第二熱交換器３０を空気が通過する際に熱の授受は行われない。
【００７９】
このため、脱衣室４及びトイレ５から吸引された空気は温度を変えることなくそのままの状態で第二熱交換器３０を通過する。これに対して吸込口１７から吸引された浴室３内の空気は第一風路２４と換気ファン１３を連通する第六風路３８を介して換気ファン１３に吸引される。この際、第六風路３８には第二熱交換器３０を通過した脱衣室４、トイレ５から吸引された空気も同時に流入し、同時に換気ファン１３により吸引される。換気ファン１３により吸引された空気は第一排気ダクト７を介して屋外に排気される。脱衣室４、トイレ５、浴室３内から吸引される空気の流量は第一ダンパ２６、第三ダンパ３６、第四ダンパ３７の開度を適宜調整することでその流量比率を可変させることができる。通常、多室からの換気を行う際には浴室３からの換気量に対して脱衣室４及びトイレ５からの換気量は半分程度に調整されることが一般的である。
【００８０】
次に浴室換気運転モードでは図９に示すように第一ダンパ２６を第一風路２４側、第三風路２７側の両者が開放されるように設定されると共に、第二ダンパ２９を開放し第三ダンパ３６、第四ダンパ３７を閉止することで浴室３内の換気を行う運転モードである。この場合、吸込口１７から吸い込まれた浴室３内空気は第一風路２４と換気ファン１３を連通する第六風路３８を介して換気ファン１３に吸引され第一排気ダクト７を介して屋外に排気される。浴室換気運転モードにおいては空気は第二熱交換器３０を通過することなく直接屋外へ排出される経路をとるため、換気ファン１３における吸引に必要となる消費電力を抑えることが可能となる。
【００８１】
以上、説明した構成及び動作により、本実施形態の換気空調装置は浴室３、脱衣室４、トイレ５等の換気を行う機能と、換気を行いながら浴室３内の暖房を行う機能と、浴室３内を除湿乾燥する機能を有し、換気の際に屋外に漏洩する居住空間１内の熱を回収し再度浴室３内に投入することで熱の利用効率を高めることのできる換気空調装置であり、本体６設置時にも別途、室外機等を設置する必要が無く、施工性に優れると共に多種多様な運転モードに切り替え可能な風路構成をとることが可能となる。
【００８２】
以上説明した内容は、発明を実施するための一形態についてのみ説明したものであり、本発明は上記実施の形態に限定されるものではない。
【００８３】
例えば、上記実施の形態では、空調する室内空間を浴室３とし、第一排気口８、第二排気口１０を開口した室内空間を脱衣室４およびトイレ５としたが、空調空間および第一排気口８、第二排気口１０を開口する空間は、居住空間１内において区画された空間であれば良く、上記に限定されるものではない。即ち、空調空間をリビング２、第一排気口８を開口する空間を浴室３などに設定しても良い。
【産業上の利用可能性】
【００８４】
以上のように本発明にかかる換気空調装置は、省スペース化と施工性の向上を図ることができ、また、空調空気の漏洩を低減して熱効率を向上することができるものであり、浴室の換気空調のみならず、リビング、寝室、キッチンあるいは洗面所などの換気空調装置などにも適用することができる。
【図面の簡単な説明】
【００８５】
【図１】本発明の実施の形態１の換気空調装置が設置される居住空間の概略図
【図２】同換気空調装置の風路構成を示す図（（ａ）同換気空調装置の多室換気暖房運転モードにおける概略構成の上面図、（ｂ）同換気空調装置の多室換気暖房運転モードにおける概略構成の側面図）
【図３】同換気空調装置の冷凍サイクル構成図
【図４】同換気空調装置の第二熱交換器の概略配置図
【図５】同換気空調装置の各運転モードにおける構成部品の動作状態一覧を示す図
【図６】同換気空調装置の浴室換気暖房運転モードの概略構成を示す図（（ａ）同換気空調装置の浴室換気暖房運転モードにおける概略構成の上面図、（ｂ）同換気空調装置の浴室換気暖房運転モードにおける概略構成の側面図）
【図７】同換気空調装置の除湿運転モードの概略構成を示す図（（ａ）同換気空調装置の除湿運転モードにおける概略構成の上面図、（ｂ）同換気空調装置の除湿運転モードにおける概略構成の側面図）
【図８】同換気空調装置の多室換気運転モードの概略構成を示す図（（ａ）同換気空調装置の多室換気運転モードにおける概略構成の上面図、（ｂ）同換気空調装置の多室換気運転モードにおける概略構成の側面図）
【図９】同換気空調装置の浴室換気運転モードの概略構成を示す図（（ａ）同換気空調装置の浴室換気運転モードにおける概略構成の上面図、（ｂ）同換気空調装置の浴室換気運転モードにおける概略構成の側面図）
【符号の説明】
【００８６】
１    居住空間
２    リビング
３    浴室
４    脱衣室
５    トイレ
６    本体
７    第一排気ダクト
８    第一排気口
９    第二排気ダクト
１０  第二排気口
１１  第三排気ダクト
１２  換気ボックス
１３  換気ファン
１４  給気口
１５  空調機
１６  ドア
１７  吸込口
１８  吹出口
１９  フィルター
２０  第一区画
２１  第二区画
２２  圧縮機
２３  圧縮機区画
２４  第一風路
２５  循環ファン
２６  第一ダンパ
２７  第三風路
２８  第二風路
２９  第二ダンパ
３０  第二熱交換器
３１  冷媒回路
３２  第一熱交換器
３３  膨張機構
３４  第四風路
３５  第五風路
３６  第三ダンパ
３７  第四ダンパ
３８  第六風路
【図１】
2008232483.tif 000003
【図２】
2008232483.tif 000004
【図３】
2008232483.tif 000005
【図４】
2008232483.tif 000006
【図５】
2008232483.tif 000007
【図６】
2008232483.tif 000008
【図７】
2008232483.tif 000009
【図８】
2008232483.tif 000010
【図９】
2008232483.tif 000011